(57)【要約】      （修正有）【課題】電線の電流と電圧とを容易に測定できるクランプ式電圧電流測定装置を提供する。【解決手段】電線１の外周を取り囲むときに閉じる電流測定用の一対のアーム２１，２２と、前記一対のアーム２１，２２における前記電線１の外周と対向する面に取り付けられ、前記一対のアーム２１，２２が閉じたときに前記電線１を挟持して電気的に接続されるように、前記電線１の外周面に対して凹凸形状を呈する面で当接する、導電材料からなる電圧測定用のダイス３１，３２と、を備える。【選択図】図１
2013024743.tif 000002
【特許請求の範囲】
【請求項１】
電線の外周を取り囲むときに閉じる電流測定用の一対のアームと、
前記一対のアームにおける前記電線の外周と対向する面に取り付けられ、前記一対のアームが閉じたときに前記電線を挟持して電気的に接続されるように、前記電線の外周面に対して凹凸形状を呈する面で当接する、導電材料からなる電圧測定用のダイスと、
を備えたことを特徴とするクランプ式電圧電流測定装置。
【請求項２】
前記ダイスは、前記一対のアームに対して着脱可能に取り付けられる
ことを特徴とする請求項１に記載のクランプ式電圧電流測定装置。
【請求項３】
前記電線の外周面に当接する前記ダイスの面は、前記電線の長手方向に沿う複数の溝を有する形状を呈している
ことを特徴とする請求項１に記載のクランプ式電圧電流測定装置。
【請求項４】
前記電線の外周面に当接する前記ダイスの面は、鋸歯形状を呈している
ことを特徴とする請求項３に記載のクランプ式電圧電流測定装置。
【発明の詳細な説明】
【技術分野】
【０００１】
本発明は、クランプ式電圧電流測定装置に関する。
【背景技術】
【０００２】
一般に、電線の電流を計測する装置として、クランプ式電流計（特許文献１参照）が知られている。このクランプ式電流計では、コアの配設されたアームを電線の外周を取り囲むように設けて、電線の電流に基づいて発生した磁束を検出することによって、電線の電流を計測している。
【先行技術文献】
【特許文献】
【０００３】
【特許文献１】特開２００４−３６１２４８号公報
【発明の概要】
【発明が解決しようとする課題】
【０００４】
特許文献１のクランプ式電流計では、例えば、電線の電力を計測する際、電線における所定位置の被覆を剥いで、電圧計をクランプ式電流計とは別個に電線に対して接続する必要がある。その場合、電線に対して電圧計を別個に接続する作業が煩雑となる虞がある。特に、複数の電線の電力を計測する際、当該作業が煩雑となる問題は顕著となる。
【課題を解決するための手段】
【０００５】
前述した課題を解決する主たる本発明は、電線の外周を取り囲むときに閉じる電流測定用の一対のアームと、前記一対のアームにおける前記電線の外周と対向する面に取り付けられ、前記一対のアームが閉じたときに前記電線を挟持して電気的に接続されるように、前記電線の外周面に対して凹凸形状を呈する面で当接する、導電材料からなる電圧測定用のダイスと、を備えたことを特徴とするクランプ式電圧電流測定装置である。
【０００６】
本発明の他の特徴については、添付図面及び本明細書の記載により明らかとなる。
【発明の効果】
【０００７】
本発明によれば、電線の電流と電圧とを容易に測定することがとできる。
【図面の簡単な説明】
【０００８】
【図１】本発明の第１実施形態における電力計を示す斜視図である。
【図２】本発明の第１実施形態におけるダイスを取り外した状態の電力計を示す斜視図である。
【図３】本発明の第１実施形態における電力計を示す平面図である。
【図４】本発明の第１実施形態におけるダイスを示す斜視図である。
【図５】本発明の第１実施形態における導電線を挟持した状態のダイスを示す平面図である。
【図６】本発明の第１及び第２実施形態における計測装置の機能を示すブロック図である。
【図７】本発明の第１乃至第３実施形態における電力計の動作を示すフローチャートである。
【図８】本発明の第２実施形態における電力計を示す斜視図である。
【図９】本発明の第２実施形態におけるダイスを示す斜視図である。
【図１０】本発明の第２実施形態における電線を挟持した状態のダイスを示す平面図である。
【図１１】本発明の第３実施形態における電力計を示す斜視図である。
【図１２】本発明の第３実施形態における電力計を示す平面図である。
【図１３】本発明の第３実施形態における計測装置の機能を示すブロック図である。
【発明を実施するための形態】
【０００９】
本明細書および添付図面の記載により、少なくとも以下の事項が明らかとなる。
【００１０】
[第１実施形態]
＝＝＝電力計＝＝＝
図１は、本実施形態における電力計を示す斜視図である。  
電力計１００は、可動アーム２１、固定アーム２２（一対のアーム）、ダイス３１、３２、本体５を含んで構成される。尚、可動アーム２１、固定アーム２２、ダイス３１、３２が本実施形態におけるクランプ式電圧電流測定装置に相当する。本実施形態において、Ｙ軸は、電線１の長手方向に沿った軸であり、電線１の一端（手前側）に向かう方向を−Ｙ方向とし、他端（奥側）に向かう方向を＋Ｙ方向とする。Ｘ軸は、筐体５５の長手方向に沿った軸であり、筐体５５における可動スペース５３が設けられた一方側に向かう方向を−Ｘ方向とし、一方側とは反対側の他方側に向かう方向を＋Ｘ方向とする。Ｚ軸は、アームを開閉する方向に沿った軸であり、可動アーム２１が開く側（上側）に向かう方向を＋Ｚ方向とし、可動アーム２１が閉じる側（下側）に向かう方向を−Ｚ方向とする。  
可動アーム２１、固定アーム２２は、電線１の電流を検出するための一対のアームである。尚、可動アーム２１、固定アーム２２の詳細については後述する。ダイス３１、３２は、電線１の電圧を検出するための測定具である。尚、ダイス３１、３２の詳細については後述する。本体５は、可動アーム２１、固定アーム２２によって検出された電線１の電流と、ダイス３１、３２によって検出された電線１の電圧とに基づいて、電線１の電力を測定する装置である。尚、本体５の詳細については後述する。
【００１１】
＝＝＝可動アーム、固定アーム＝＝＝
以下、図１乃至図３を参照して、本実施形態における可動アーム、固定アームについて説明する。図２は、本実施形態におけるダイスを取り外した状態の電力計を示す斜視図である。図３は、本実施形態における電力計を示す平面図である。尚、コア２１２、２２２、検出コイル２１３、計測装置５６、回動軸５７、信号線Ｌ１、Ｌ２は、電力計１００と重なって見えない状態となっているが、説明の便宜上、点線で示される。
【００１２】
可動アーム２１、固定アーム２２は、電線１の電流を検出するための一対のアームである。可動アーム２１、固定アーム２２は、電線１の電流によって発生する磁束を検出コイル２１３に誘導することによって、電線１の電流を検出する。尚、可動アーム２１、固定アーム２２によって電線１の電流を検出する構成の詳細については後述する。
【００１３】
可動アーム２１、固定アーム２２は、電線１の外周を取り囲むときに閉じるアームである。可動アーム２１の内周面（電線の外周と対向する面）、固定アーム２２の内周面（電線の外周と対向する面）には夫々、ダイス３１、３２が夫々取り付けられる。尚、ダイス３１、３２の詳細については後述する。可動アーム２１、固定アーム２２は夫々、ダイス３１、３２の外周面に沿った内周面を有する筒を、筒の中心軸を通り且つ筒の中心軸と平行な平面で半割した形状を呈する。可動アーム２１、固定アーム２２は、例えば電気的絶縁性を有する合成樹脂材料によって形成される。固定アーム２２の内周面には、ダイス３２を固定アーム２２に取り付けるための凸部２２１が設けられる。凸部２２１は、固定アーム２２の周方向に沿って固定アーム２２の内周面に設けられる。可動アーム２１の内周面には、ダイス３１を可動アーム２１に取り付けるための凸部（不図示）（以下、「可動アーム２１の凸部」という）が設けられる。可動アーム２１の凸部は、可動アーム２１の周方向に沿って可動アーム２１の内周面に設けられる。
【００１４】
固定アーム２２は、本体５における筐体５５に対して固定されるように、筐体５５の一方側に取り付けられる。固定アーム２２は、固定アーム２２の手前側の面と奥側の面とが、電線１の長手方向に沿う方向と直行するように、固定アーム２２の他方側の端部が筐体５５の一方側に取り付けられる。可動アーム２１は、筐体５５の回動軸５７を軸に回動するように、筐体５５の一方側に取り付けられる。可動アーム２１は、可動アーム２１の手前側の面と奥側の面とが、電線１の長手方向に沿う方向と直行するように、可動アーム２１の他方側の端部が筐体５５の一方側における可動スペース５３の内部に配設された回動軸５７に取り付けられる。尚、回動軸５７の長手方向は、電線１の長手方向に沿っているものとする。回動軸５７は、筐体５５における固定アーム２２の他方側の端部が取り付けられる位置よりも例えば上側に配設されているものとする。可動スペース５３は、回動軸５７を中心に可動アーム２１を回動できるように、筐体５５の一方側に設けられた例えば切り欠きである。可動アーム２１は、回動軸５７を中心に、可動アーム２１の一方側の端部が固定アーム２２の一方側の端部に近接する方向（以下、「閉じる方向」という）に回動するように、例えば筐体５５の一方側に配設された捻りコイルバネ（不図示）によって付勢される。可動アーム２１は、回動軸５７を中心に、可動アーム２１の一方側の端部が固定アーム２２の一方側の端部から離間する方向（以下、「開く方向」という）に、レバー５４によって回動される。レバー５４は、回動軸５７を中心に、可動アーム２１を開く方向に回動するための装置である。レバー５４は、把手５４ａ、レバー本体５４ｂを有する。レバー本体５４ｂは、筐体５５の内部に配設され、回動軸５７を中心に可動アーム２１を開く方向に回動するように、例えば可動アーム２１の他方側の外周面を引っ張るための部材である。レバー本体５４ｂの一方側の端部（不図示）は、例えば、可動アーム２１の他方側の外周面に取り付ける。レバー本体５４ｂの上面の一部は、把手５４ａが取り付けられるように、筐体５５の上面から露出するものとする。
【００１５】
例えば、把手５４ａに対して他方側に向かう力が加えられた場合、可動アーム２１には、レバー本体５４ｂによる他方側への引っ張り力が加えられる。可動アーム２１は、捻りコイルバネの付勢力に抗して、回動軸５７を中心に開く方向に回動する。一方、例えば、把手５４ａに対して他方側に向かう力が加えられない場合、可動アーム２１は、捻りコイルバネの付勢力によって、回動軸５７を中心に閉じる方向に回動する。
【００１６】
＝＝＝ダイス＝＝＝
以下、図１乃至図５を参照して、本実施形態におけるダイスについて説明する。図４は、本実施形態におけるダイスを示す斜視図である。図５は、本実施形態における導電線を挟持した状態のダイスを示す平面図である。尚、導電線１１は斜線で示されるが、説明の便宜上、図１における導電線１１をダイス３１、３２の手前側の面に沿った面で切断した際の断面図を示すものとする。
【００１７】
ダイス３１、３２は、電線１の電圧を検出するための測定具である。ダイス３１、３２は夫々、可動アーム２１、固定アーム２２の内周面に取り付けられた状態で、可動アーム２１が回動軸５７を中心に、閉じる方向に回動した際に、電線１における例えば被覆の剥がされた導電線１１を挟持し、電線１と電気的に接続される測定具である。
【００１８】
ダイス３１、３２は夫々、可動アーム２１、固定アーム２２の内周面に沿った外周面を有する例えば円柱を、円柱の中心軸を通り且つ円柱の中心軸と平行な平面で半割した形状を呈する、例えば金属（導電材料）製の測定具である。ダイス３１の外周面には、ダイス３１を可動アーム２１に取り付けるための溝３１１が設けられる。溝３１１には、可動アーム２１の凸部が嵌められる。可動アーム２１の凸部と溝３１１とが嵌り合って外れないように、溝３１１の幅は、可動アーム２１の凸部と同様な幅とする。溝３１１に対して可動アーム２１の凸部が嵌められた際、溝３１１と可動アーム２１の凸部とが嵌り合って、ダイス３１は可動アーム２１の内周面に固定される。ダイス３２の外周面には、ダイス３２を固定アーム２２に取り付けるための溝３２１が設けられる。溝３２１には、固定アーム２２の凸部２２１が嵌められる。固定アーム２２の凸部２２１と溝３２１とが嵌り合って外れないように、溝３２１の幅は、固定アーム２２の凸部２２１と同様な幅とする。溝３２１に対して固定アーム２２の凸部２２１が嵌められた際、溝３２１と固定アーム２２の凸部２２１とが嵌り合って、ダイス３２は固定アーム２２の内周面に固定される。
【００１９】
ダイス３１の下面には、導電線１１を挟持するための凹凸面３１ａ（電線の外周面に対して凹凸形状を呈する面）が形成される。凹凸面３１ａは、回動軸５７を中心に可動アーム２１を閉じる方向に回動した際に、導電線１１の外周面を例えば上側から挟持するための窪みの中に形成される。尚、ダイス３１の下面に形成される窪みは、ダイス３１によって挟持される導電線１１の径に応じた深さであるものとする。凹凸面３１ａは、凹凸面３１ａが鋸歯形状を呈するように、例えば電線１の長手方向に沿った複数の溝３１ｂが設けられる。尚、複数の溝３１ｂは、例えば筐体５５の長手方向に沿うように、凹凸面３１ａに設けてもよい。又、複数の溝３１ｂは、例えば電線１の長手方向に対して所定の角度を持つ斜め方向に沿うように、凹凸面３１ａに設けてもよい。ダイス３１によって、導電線１１を挟持した際に、鋸歯形状の凹凸面３１ａにおける尖った形状を呈する複数の先端３１ｃは、導電線１１の外周面に上側から当接する。その際、先端３１ｃの例えば一部は、導電線１１の外周面に突き刺さった状態となる。
【００２０】
ダイス３２の上面には、導電線１１を挟持するための凹凸面３２ａ（電線の外周面に対して凹凸形状を呈する面）が形成される。凹凸面３２ａは、回動軸５７を中心に可動アーム２１を閉じる方向に回動した際に、導電線１１の外周面を例えば下側から挟持するための窪みの中に形成される。尚、ダイス３２の上面に形成される窪みは、ダイス３２によって挟持される導電線１１の径に応じた深さであるものとする。凹凸面３２ａは、凹凸面３２ａが鋸歯形状を呈するように、例えば電線１の長手方向に沿った複数の溝３２ｂが設けられる。尚、複数の溝３２ｂは、例えば筐体５５の長手方向に沿うように、凹凸面３２ａに設けてもよい。又、複数の溝３２ｂは、例えば電線１の長手方向に対して所定の角度を持つ斜め方向に沿うように、凹凸面３２ａに設けてもよい。ダイス３２によって、導電線１１を挟持した際に、鋸歯形状の凹凸面３２ａにおける尖った形状を呈する複数の先端３２ｃは、導電線１１の外周面に下側から当接する。その際、先端３２ｃの例えば一部は、導電線１１の外周面に突き刺さった状態となる。
【００２１】
＝＝＝本体＝＝＝
以下、図１、図２を参照して、本実施形態における本体について説明する。  
本体５は、可動アーム２１、固定アーム２２によって検出された電線１の電流と、ダイス３１、３２によって検出された電線１の電圧とに基づいて、電線１の電力を測定する装置である。本体５は、筐体５５、開始釦５１、停止釦５２、レバー５４、計測装置５６、信号線Ｌ１、Ｌ２を含んで構成される。
【００２２】
筐体５５は、計測装置５６、信号線Ｌ１、Ｌ２を収容するケースである。筐体５５は、例えば略矩形柱形状を呈する。尚、筐体５５は、筐体５５の内部に計測装置５６を収容できるように中空構造となっているものとする。前述したように、筐体５５の一方側には可動スペース５３が設けられる。筐体５５の上面には、レバー５４が設けられる。
【００２３】
開始釦５１は、電力計１００による電線１の電力の測定を開始するときに押下する釦である。開始釦５１は、筐体５５の例えば手前側の面に設けられる。開始釦５１を押下した場合、電力の測定を開始することを示す測定開始命令が計測装置５６に対して送信されるものとする。
【００２４】
停止釦５２は、電力計１００による電線１の電力の測定を停止するときに押下する釦である。停止釦５２は、筐体５５の例えば手前側の面に設けられる。停止釦５２を押下した場合、電力の測定を停止することを示す測定停止命令が計測装置５６に対して送信されるものとする。
【００２５】
計測装置５６は、電線１の電力を計測するための装置である。計測装置５６は、検出コイル２１３の検出信号を入力できるように、例えば信号線Ｌ１を介して検出コイル２１３に接続される。計測装置５６は、ダイス３１、３２の電位を検出できるように、例えば信号線Ｌ２を介してダイス３１、３２に接続される。ここで、可動アーム２１、固定アーム２２の他方側の内周面には夫々、信号線Ｌ２とダイス３１、３２とを電気的に接続するための端子（不図示）が設けられているものとする。ダイス３１、３２が夫々、可動アーム２１、固定アーム２２に取り付けられた場合、ダイス３１、３２は夫々可動アーム２１、固定アーム２２の内周面における端子と接触して、電気的に接続される。信号線Ｌ２の一端側は、２本に分岐して可動アーム２１、固定アーム２２夫々の端子に接続される。信号線Ｌ２の他端は、計測装置５６に接続される。
【００２６】
＝＝＝電圧の検出＝＝＝
以下、図１、図３乃至図５を参照して、本実施形態におけるダイスを用いて電線の電圧を検出する構成について説明する。
【００２７】
電力計１００におけるダイス３１、３２の凹凸面３１ａ、３２ａによって電線１における導電線１１を挟持した場合、ダイス３１、３２の先端３１ｃ、３２ｃが導電線１１の外周面に当接する。前述したように、ダイス３１、３２は、可動アーム２１、固定アーム２２に設けられた端子、信号線Ｌ２を介して計測装置５６と接続されているので、電線１の電圧は、計測装置５６によって検出される。
【００２８】
例えば、導電線１１の外周を取り囲むように、回動軸５７を中心に可動アーム２１を閉じる方向に回動した場合、導電線１１はダイス３１、３２によって挟持される。その場合、電線１の電圧が計測装置５６によって検出される。一方、例えば、回動軸５７を中心に可動アーム２１を開く方向に回動した場合、導電線１１とダイス３１、３２とは例えば離間した状態となる。その場合、電線１の電圧は計測装置５６によって検出されない状態となる。
【００２９】
＝＝＝電流の検出＝＝＝
以下、図１乃至図３を参照して、本実施形態における可動アーム、固定アームを用いて電線の電流を検出する構成について説明する。
【００３０】
可動アーム２１、固定アーム２２は、電線１の導電線１１と非接触の状態で電線１の電流を測定する。可動アーム２１、固定アーム２２には、コア２１２、２２２、検出コイル２１３が配設される。
【００３１】
コア２１２、２２２は、電線１の外周を取り囲んで、電線１の電流によって発生する磁束を検出コイル２１３に対して誘導するための閉磁路を形成する部材である。コア２１２は、可動アーム２１に沿う形状を呈し、可動アーム２１の内部に配設される。コア２２２は、固定アーム２２に沿う形状を呈し、固定アーム２２の内部に配設される。
【００３２】
検出コイル２１３は、コア２１２、２２２によって形成される閉磁路内の磁束の変化を検出するためのコイルである。検出コイル２１３は、例えばコア２１２に巻回される。検出コイル２１３は、巻回された検出コイル２１３内を通過する磁束の変化を検出して、電線１の電流値に応じて振幅が変化する検出信号を出力する。
【００３３】
例えば、電線１の外周を取り囲むように、回動軸５７を中心に可動アーム２１を閉じる方向に回動した場合、コア２１２、２２２によって閉磁路が形成される。その場合、検出信号が検出コイル２１３から出力される。一方、例えば、回動軸５７を中心に可動アーム２１を開く方向に回動した場合、コア２１２、２２２は相互に離間して、閉磁路が形成されない状態となる。その場合、検出信号は検出コイル２１３から出力されない状態となる。
【００３４】
＝＝＝計測装置の機能＝＝＝
以下、図１、図３、図６を参照して、本実施形態における計測装置の機能について説明する。図６は、本実施形態における計測装置の機能を示すブロック図である。
【００３５】
計測装置５６は、入力部５６１、記憶部５６２、電圧測定部５６３、電流測定部５６４、演算部５６５、計時部５６６、制御部５６７を含んで構成される。
【００３６】
入力部５６１は、検出コイル２１３の検出信号が信号線Ｌ１を介して入力される。入力部５６１は、電線１の電圧がダイス３１、３２、可動アーム２１の端子、固定アーム２２の端子、信号線Ｌ２を介して印加される。  
計時部５６６は、現在の時刻を計時するための例えばタイマである。
【００３７】
電圧測定部５６３は、入力部５６１に印加された電圧に基づいて、電線１の例えば接地に対する電圧を測定する。  
電流測定部５６４は、入力部５６１に入力された検出信号に基づいて、電線１の電流を測定する。尚、電流測定部５６４は、例えば、電圧測定部５６３での電線１における電圧の測定が行われる時刻と同じ時刻に電線１の電流を測定するものとする。  
演算部５６５は、電圧測定部５６３、電流測定部５６４の測定結果に基づいて、電線１の電力を算出する。
【００３８】
記憶部５６２は、例えば第１の領域５６２ａ、第２の領域５６２ｂ、第３の領域５６２ｃを有する。第１の領域５６２ａには、例えば計測装置５６の動作を制御するためのプログラムが記憶される。第２の領域５６２ｂには、電圧測定部５６３、電流測定部５６４の測定結果、演算部５６５の算出結果が記憶される。第２の領域５６２ｂには、例えば、電圧測定部５６３、電流測定部５６４の測定結果、演算部５６５の算出結果を夫々、電圧測定部５６３、電流測定部５６４で測定が行われた時刻と関連付けた状態で順次記憶される。第３の領域５６２ｃは、計測装置５６の測定動作を行わせる時間を示す測定時間情報が記憶される。測定時間情報として、例えば２４０時間程度を示す情報が記憶される。
【００３９】
制御部５６７は、第１の領域５６２ａに記憶された、計測装置５６の動作を制御するためのプログラムに基づいて、計測装置５６を制御する。
【００４０】
＝＝＝電力計の動作＝＝＝
以下、図１乃至図７を参照して、本実施形態における電力計の動作について説明する。図７は、本実施形態における電力計の動作を示すフローチャートである。
【００４１】
例えば、回動軸５７を中心に可動アーム２１を閉じる方向に回動して、電線１における例えば被覆の剥がされた導電線１１を、可動アーム２１、固定アーム２２に取り付けられたダイス３１、３２によって挟持した場合について説明する。その場合、前述したように、電線１の電圧が計測装置５６に対して印加され、検出コイル２１３の検出信号が計測装置５６に入力された状態となっている。開始釦５１を押下して、計測装置５６の動作を制御するためのプログラムの実行が開始され、制御部５６７が計測装置５６の制御動作を開始したところから説明する。
【００４２】
制御部５６７は、入力部５６１に印加された電圧に基づいて、電線１の例えば接地に対する電圧を測定するように、電圧測定部５６３を制御する。制御部５６７は、入力部５６１に入力された検出信号に基づいて、電線１の電流を測定するように電流測定部５６４を制御する。尚、制御部５６７は、例えば、電圧測定部５６３での電線１における電圧の測定が行われる時刻と同じ時刻に電線１の電流を測定するように電圧測定部５６３と電流測定部５６４とを制御する。制御部５６７は、電圧測定部５６３、電流測定部５６４の測定結果に基づいて、電線１の電力を算出するように、演算部５６５を制御する（ステップＳ１）。制御部５６７は、電圧測定部５６３、電流測定部５６４の測定結果、演算部５６５の算出結果を、第２の領域５６２ｂに記憶する（ステップＳ２）。尚、制御部５６７は、例えば、電圧測定部５６３、電流測定部５６４の測定結果、演算部５６５の算出結果を夫々、電圧測定部５６３、電流測定部５６４で測定が行われた時刻と関連付けた状態で記憶する。制御部５６７は、計測装置５６が測定動作を開始してから現在までの経過時間（以下、「測定継続時間」という）が、第３の領域５６２ｃに記憶された測定時間情報に示された時間を経過したか否かを判断する（ステップＳ３）。制御部５６７は、例えば、第２の領域５６２ｂに記憶された最も古い時刻と、計時部５６６によって計時される現在の時刻と、第３の領域５６２ｃに記憶された測定時間情報とに基づいて、測定継続時間が、測定時間情報に示された時間を経過したか否かを判断する。
【００４３】
例えば、測定継続時間は測定時間情報に示された時間を経過したと制御部５６７が判断した場合（ステップＳ３のＹＥＳ）、制御部５６７は、計測装置５６の制御動作を終了する。
【００４４】
一方、例えば測定継続時間は測定時間情報に示された時間を経過したと制御部５６７が判断しない場合（ステップＳ３のＮＯ）、制御部５６７は、測定停止命令を受信したか否かを判断する（ステップＳ４）。例えば、停止釦５２の押下による測定停止命令を受信したと制御部５６７が判断した場合（ステップＳ４のＹＥＳ）、制御部５６７は、計測装置５６の制御動作を終了する。一方、例えば測定停止命令を受信したと制御部５６７が判断しない場合（ステップＳ４のＮＯ）、制御部５６７は、上記ステップＳ１、Ｓ２の制御動作を行った後、ステップＳ３の判断を再度行う。
【００４５】
前述したように、可動アーム２１が回動軸５７を中心に閉じる方向に回動したとき、一対の可動アーム２１、固定アーム２２は、電線１の外周を取り囲む。ダイス３１、３２は夫々、可動アーム２１、固定アーム２２夫々の内周面に取り付けられる。可動アーム２１が回動軸５７を中心に閉じる方向に回動した場合、ダイス３１、３２は、凹凸面３１ａ、３２ａを、被覆の剥がされた導電線１１の外周面に当接しすることによって、導電線１１を挟持して、電線１と電気的に接続される。よって、例えば、電線１における電流、電圧を測定する位置の被覆を剥いで、その電線１における被覆の剥がされた位置をダイス３１、３２で挟持するように、電力計１００を電線１に取り付けて、電線１の電流、電圧を容易に測定することができる。又、電力計１００は、電線１の長手方向における同じ位置で、電線１の電流と電圧の測定を行うことができるので、例えば、電線１の電力を精度良く算出することができる。
【００４６】
又、ダイス３１、３２は、溝３１１、３２１に可動アーム２１の凸部、凸部２２１を嵌めることによって、可動アーム２１、固定アーム２２に取り付けられる。一方、ダイス３１、３２は、溝３１１、３２１から可動アーム２１の凸部、凸部２２１を取りはずことによって、可動アーム２１、固定アーム２２から取り外される。よって、例えば、電線１の電圧を測定しない場合、ダイス３１、３２を可動アーム２１、固定アーム２２から取り外して、電力計１００の軽量化を測ることができる。又、例えば、ダイス３１、３２が劣化した際、新たなダイス３１、３２と容易に交換できる。又、例えば、挟持する導電線１１の径に応じた形状の凹凸面３１ａ、３２ａを有するダイス３１、３２を用意して、電圧及び電流を測定する電線１の径に応じて、ダイス３１、３２を交換できる。よって、利用性の高い電力計１００を提供できる。
【００４７】
又、凹凸面３１ａ、３２ａには、電線１の長手方向に沿った複数の溝３１ｂ、３２ｂが形成される。よって、凹凸面３１ａ、３２ａに、電線１の長手方向に沿った複数の凸部が形成されて、その複数の凸部によって、導電線１１の外周面を確実に挟持できる。従って、凹凸面３１ａ、３２ａが導電線１１の外周面に確実に当接するので、ダイス３１、３２と導電線１１との接触不良を防止して、電線１の電圧測定の精度を向上できる。又、ダイス３１、３２によって導電線１１を確実に挟持できるので、可動アーム２１、固定アーム２２から導電線１１までの距離を一定に保って、電線１の電流測定の精度を向上できる。
【００４８】
又、凹凸面３１ａ、３２ａには、凹凸面３１ａ、３２ａが鋸歯形状を呈するように、電線１の長手方向に沿った複数の溝３１ｂ、３２ｂが形成される。よって、凹凸面３１ａ、３２ａにおける尖った形状を呈する先端３１ｃ、３２ｃの例えば一部を導電線１１の外周面に突き刺すことによって、ダイス３１、３２と導電線１１との接触不良を確実に防止して、電線１の電圧測定の精度を更に向上できる。又、ダイス３１、３２によって導電線１１を更に確実に挟持できるので、可動アーム２１、固定アーム２２から導電線１１までの距離を一定に保って、電線１の電流測定の精度を更に向上できる。
【００４９】
[第２実施形態]
＝＝＝電力計＝＝＝
本実施形態における電力計１００ｂは、第１実施形態における電力計１００のダイス３１、３２を、ダイス６１、６２に変更したものである。尚、ダイス６１、６２以外の構成は、第１実施形態における電力計１００と同様であるので、その説明は省略する。
【００５０】
図８は、本実施形態における電力計を示す斜視図である。尚、図１に示された構成と同じ構成については同じ番号を付すのみで、その説明は省略する。突起６１２、６２２、凹凸面６２ａの一部は見えない状態となっているが、説明の便宜上、点線で示される。
【００５１】
電力計１００ｂは、ダイス６１、６２を含んで構成される。尚、可動アーム２１、固定アーム２２が本実施形態における一対のアームに相当する。可動アーム２１、固定アーム２２、ダイス６１、６２が本実施形態におけるクランプ式電圧電流測定装置に相当する。本実施形態において、Ｙ軸は、電線１ｂの長手方向に沿った軸であり、電線１ｂの一端（手前側）に向かう方向を−Ｙ方向とし、他端（奥側）に向かう方向を＋Ｙ方向とする。Ｘ軸は、筐体５５の長手方向に沿った軸であり、筐体５５における可動スペース５３が設けられた一方側に向かう方向を−Ｘ方向とし、一方側とは反対側の他方側に向かう方向を＋Ｘ方向とする。Ｚ軸は、アームを開閉する方向に沿った軸であり、可動アーム２１が開く側（上側）に向かう方向を＋Ｚ方向とし、可動アーム２１が閉じる側（下側）に向かう方向を−Ｚ方向とする。
【００５２】
ダイス６１、６２は、電線１ｂの電圧を検出するための測定具である。尚、ダイス６１、６２の詳細については後述する。
【００５３】
＝＝＝ダイス＝＝＝
以下、図８乃至図１０を参照して、本実施形態におけるダイスについて説明する。図９は、本実施形態におけるダイスを示す斜視図である。図１０は、本実施形態における電線を挟持した状態のダイスを示す平面図である。尚、電線１ｂは斜線で示されるが、説明の便宜上、図８における電線１ｂをダイス６１、６２の手前側の面に沿った面で切断した際の断面図を示すものとする。突起６１２、６２２の先端側の一部は、電線１ｂに重なって見えない状態となっているが、点線で示される。
【００５４】
ダイス６１、６２は、電線１の電圧を検出するための測定具である。ダイス６１、６２は夫々、可動アーム２１、固定アーム２２の内周面に取り付けられた状態で、可動アーム２１が回動軸５７を中心に、閉じる方向に回動した際に、電線１ｂを挟持し、電線１ｂと電気的に接続される測定具である。
【００５５】
ダイス６１、６２は夫々、可動アーム２１、固定アーム２２の内周面に沿った外周面を有する例えば円柱を、円柱の中心軸を通り且つ円柱の中心軸と平行な平面で半割した形状を呈する、例えば金属（導電材料）製の測定具である。ダイス６１の外周面には、ダイス６１を可動アーム２１に取り付けるための溝６１１が設けられる。溝６１１には、可動アーム２１の凸部が嵌められる。可動アーム２１の凸部と溝６１１とが嵌り合って外れないように、溝６１１の幅は、可動アーム２１の凸部と同様な幅とする。溝６１１に対して可動アーム２１の凸部が嵌められた際、溝６１１と可動アーム２１の凸部とが嵌り合って、ダイス６１は可動アーム２１の内周面に固定される。
【００５６】
ダイス６２の外周面には、ダイス６２を固定アーム２２に取り付けるための溝６２１が設けられる。溝６２１には、固定アーム２２の凸部２２１が嵌められる。固定アーム２２の凸部２２１と溝６２１とが嵌り合って外れないように、溝６２１の幅は、固定アーム２２の凸部２２１と同様な幅とする。溝６２１に対して固定アーム２２の凸部２２１が嵌められた際、溝６２１と固定アーム２２の凸部２２１とが嵌り合って、ダイス６２は固定アーム２２の内周面に固定される。
【００５７】
ダイス６１の下面には、電線１ｂを挟持するための凹凸面６１ａ（電線の外周面に対して凹凸形状を呈する面）が形成される。凹凸面６１ａは、回動軸５７を中心に可動アーム２１を閉じる方向に回動した際に、電線１ｂの外周面を例えば上側から挟持するための窪みの中に形成される。尚、ダイス６１の下面に形成される窪みは、ダイス６１によって挟持される電線１ｂの径に応じた深さであるものとする。凹凸面６１ａは、凹凸面６１ａが鋸歯形状を呈するように、電線１ｂの例えば長手方向に沿った複数の溝６１ｂが設けられる。尚、複数の溝６１ｂは、例えば筐体５５の長手方向に沿うように、凹凸面６１ａに設けてもよい。又、複数の溝６１ｂは、例えば電線１の長手方向に対して所定の角度を持つ斜め方向に沿うように、凹凸面６１ａに設けてもよい。凹凸面６１ａが設けられた窪みの例えば最も窪んだ位置には、例えば上側から下側に向かって尖った先端を有する突起６１２が設けられる。ダイス６１によって、電線１ｂを挟持した際に、鋸歯形状の凹凸面６１ａにおける尖った形状を呈する複数の先端６１ｃは、電線１ｂの外周面に上側から当接する。その際、先端６１ｃの例えば一部は電線１ｂの外周面の被覆１１ｂに突き刺さった状態となる。又、突起６１２は、電線１ｂの外周面の被覆１１ｂを貫通して、導電線１１ａに突き刺さった状態となる。
【００５８】
ダイス６２の上面には、電線１ｂを挟持するための凹凸面６２ａ（電線の外周面に対して凹凸形状を呈する面）が形成される。凹凸面６２ａは、回動軸５７を中心に可動アーム２１を閉じる方向に回動した際に、電線１ｂの外周面を例えば上側から挟持するための窪みの中に形成される。尚、ダイス６２の上面に形成される窪みは、ダイス６２によって挟持される電線１ｂの径に応じた深さであるものとする。凹凸面６２ａは、凹凸面６２ａが鋸歯形状を呈するように、例えば電線１ｂの長手方向に沿った複数の溝６２ｂが設けられる。尚、複数の溝６２ｂは、例えば筐体５５の長手方向に沿うように、凹凸面６２ａに設けてもよい。又、複数の溝６２ｂは、例えば電線１の長手方向に対して所定の角度を持つ斜め方向に沿うように、凹凸面６２ａに設けてもよい。凹凸面６２ａが設けられた窪みの例えば最も窪んだ位置には、例えば下側から上側に向かって尖った先端を有する突起６２２が設けられる。ダイス６２によって、電線１ｂを挟持した際に、鋸歯形状の凹凸面６２ａにおける尖った形状を呈する複数の先端６２ｃは、電線１ｂの外周面に下側から当接する。その際、先端６２ｃの例えば一部は電線１ｂの外周面の被覆１１ｂに突き刺さった状態となる。又、突起６２２は、電線１ｂの外周面の被覆１１ｂを貫通して、導電線１１ａに突き刺さった状態となる。
【００５９】
＝＝＝電圧の検出＝＝＝
以下、図８乃至図１０を参照して、本実施形態におけるダイスを用いて電線の電圧を検出する構成について説明する。
【００６０】
電力計１００ｂにおけるダイス６１、６２の凹凸面６１ａ、６２ａによって電線１ｂを挟持した場合、ダイス６１、６２の突起６１２、６２２が電線１ｂにおける被覆１１ｂを貫通して導電線１１ａに突き刺さった状態になる。ダイス６１、６２は、可動アーム２１、固定アーム２２に設けられた端子、信号線Ｌ２を介して計測装置５６と接続されているので、電線１ｂの電圧は、計測装置５６によって検出される。
【００６１】
例えば、電線１ｂの外周を取り囲むように、回動軸５７を中心に可動アーム２１を閉じる方向に回動した場合、電線１ｂはダイス６１、６２によって挟持される。その場合、突起６１２、６２２が電線１ｂにおける被覆１１ｂを貫通して導電線１１ａに突き刺さって、電線１ｂとダイス６１、６２とが電気的に接続された状態となり、電線１ｂの電圧が計測装置５６によって検出される。一方、例えば、回動軸５７を中心に可動アーム２１を開く方向に回動した場合、突起６１２、６２２が導電線１１ａから抜けて、電線１ｂとダイス６１、６２とが電気的に接続されない状態なる。その場合、電線１ｂの電圧は計測装置５６によって検出されない状態となる。
【００６２】
前述したように、凹凸面６１ａ、６１ｂに、電線１ｂの被覆１１ｂを貫通する突起６１２、６２２を設けることによって、電線１ｂの被覆１１ｂを剥ぐことなく、電線１ｂの電圧を測定できるので、利用性の高い電力計１００ｂを提供することができる。
【００６３】
[第３実施形態]
＝＝＝電力計、電線＝＝＝
本実施形態における電力計１００ｃ、１００ｄは、第１実施形態における電力計１００を例えば２個連結し、第１実施形態における電力計１００の計測装置５６を、計測装置５８、５９に変更したものである。尚、電力計１００ｃと電力計１００ｄとを連結する構成と、電力計１００ｃ、１００ｄの計測装置５８、５９以外の構成は、第１実施形態における電力計１００と同様であるので、その説明は省略する。
【００６４】
図１１は、本実施形態における電力計を示す斜視図である。尚、図１に示された構成と同じ構成については同じ番号を付すのみで、その説明は省略する。図１２は、本実施形態における電力計を示す平面図である。尚、図３に示された構成と同じ構成については同じ番号を付すのみで、その説明は省略する。コア２１２、２２２、検出コイル２１３、計測装置５８、５９、回動軸５７、信号線Ｌ１、Ｌ２、通信線Ｔ１の一部は、見えない状態となっているが、説明の便宜上、点線で示される。尚、Ｙ軸は、電線１ｃの長手方向に沿った軸であり、電線１ｃの一端（手前側）に向かう方向を−Ｙ方向とし、他端（奥側）に向かう方向を＋Ｙ方向とする。Ｘ軸は、筐体５５ｃの長手方向に沿った軸であり、筐体５５ｃにおける可動スペース５３が設けられた一方側に向かう方向を−Ｘ方向とし、一方側とは反対側の他方側に向かう方向を＋Ｘ方向とする。Ｚ軸は、アームを開閉する方向に沿った軸であり、可動アーム２１が開く側（上側）に向かう方向を＋Ｚ方向とし、可動アーム２１が閉じる側（下側）に向かう方向を−Ｚ方向とする。  
電力計１００ｃと電力計１００ｄとは、相互に通信できるように、例えば通信線Ｔ１によって接続される。尚、電力計１００ｃと電力計１００ｄとが相互に通信する構成の詳細については後述する。通信線Ｔ１の一端は、電力計１００ｃの筐体５５ｃにおける他方側の面の挿通孔（不図示）を介して、筐体５５ｃの内部の計測装置５８に接続される。通信線Ｔ１の他端は、電力計１００ｄの筐体５５ｄにおける他方側の面の挿通孔（不図示）を介して、筐体５５ｄの内部の計測装置５９に接続される。
【００６５】
電線１ｃと電線１ｄとは、電線１ｃにおける被覆の剥がされた導電線１１ｃの手前側の端部と、電線１ｄにおける被覆の剥がされた導電線１１ｄの奥側の端部とが例えば導電性のスリーブ７００によって接続される。
【００６６】
電力計１００ｃは、電線１ｃの電圧と電流とを検出できるように、導電線１１ｃに取り付けられる。このとき、導電線１１ｃは、電力計１００ｃのダイス３１、３２によって挟持された状態となる。電力計１００ｄは、電線１ｄの電圧と電流とを検出できるように、導電線１１ｄに取り付けられる。このとき、導電線１１ｄは、電力計１００ｄのダイス３１、３２によって挟持された状態となる。
【００６７】
＝＝＝計測装置の機能＝＝＝
以下、図１１乃至図１３を参照して、本実施形態における計測装置の機能について説明する。図１３は、本実施形態における計測装置の機能を示すブロック図である。尚、図６に示されたブロックと同じ機能のブロックについては同じ番号を付すのみで、その説明は省略する。
【００６８】
計測装置５８は、記憶部５８２、制御部５８７、送受信部５８８を含んで構成される。
【００６９】
記憶部５８２は、例えば第１の領域５８２ａ、第２の領域５８２ｂ、第３の領域５８２ｃを有する。第１の領域５８２ａには、例えば計測装置５８の動作を制御するためのプログラムが記憶される。第２の領域５８２ｂには、電力計１００ｃ、１００ｄでの測定結果が記憶される。第２の領域５８２ｂには、電力計１００ｃにおける電圧測定部５６３、電流測定部５６４の測定結果、演算部５６５の算出結果が記憶される。第２の領域５８２ｂには、送受信部５８８で受信した、電力計１００ｄにおける電圧測定部５６３、電流測定部５６４の測定結果、演算部５６５の算出結果も記憶される。第２の領域５６２ｂには、例えば、電力計１００ｃ、１００ｄにおける、電圧測定部５６３、電流測定部５６４の測定結果、演算部５６５の算出結果を夫々、電圧測定部５６３、電流測定部５６４で測定が行われた時刻と関連付けた状態で順次記憶される。
【００７０】
第３の領域５８２ｃは、計測装置５８の測定動作を行わせる時間を示す測定時間情報が記憶される。測定時間情報として、例えば２４０時間程度を示す情報が記憶される。
【００７１】
制御部５８７は、第１の領域５８２ａに記憶された、計測装置５８の動作を制御するためのプログラムに基づいて、計測装置５８を制御する。
【００７２】
送受信部５８８は、電力計１００ｃにおける電圧測定部５６３、電流測定部５６４の測定結果、演算部５６５の算出結果（以下、「電力計１００ｃのデータ」という）を示す測定結果情報を、電力計１００ｄに送信したり、電力計１００ｄにおける電圧測定部５６３、電流測定部５６４の測定結果、演算部５６５の算出結果（以下、「電力計１００ｄのデータ」という）を示す測定結果情報を受信したりする。又、送受信部５８８は、電力計１００ｃの測定開始命令、測定停止命令を電力計１００ｄに対して送信したり、電力計１００ｄの測定開始命令、測定停止命令を電力計１００ｄから受信したりする。
【００７３】
尚、計測装置５９の機能は、計測装置５８の機能と同様であるので、その説明は省略する。
【００７４】
計測装置５８、５９は、電力計１００ｃ、１００ｄの何れかの測定開始命令に基づいて、測定動作を開始し、電力計１００ｃ、１００ｄの何れかの測定停止命令に基づいて測定動作を終了する。又、計測装置５８、５９夫々には、電力計１００ｃのデータと、電力計１００ｄのデータとが記憶される。
【００７５】
上述のように、例えば２個の電力計１００ｃと電力計１００ｄとを例えば通信線Ｔ１によって連結することによって、電線における複数の箇所の電圧と電力を同時に測定できるので、利用性の高い電力計１００ｃ、１００ｄを提供することができる。
【００７６】
[その他の実施形態]
第１乃至第３実施形態においては、ダイスを可動アーム２１、固定アーム２２の内周面における全面に沿って取り付ける構成について説明したが、これに限定されるものではない。例えば、固定アーム２２の内周面にのみダイスを取り付けて、可動アーム２１の内周面には、可動アーム２１が回動軸５７を中心に、閉じる方向に回動した際に、固定アーム２２に取り付けられたダイスの凹凸面とともに電線を挟持する例えばゴム製の部材を取り付けてもよい。その場合、電線を挟持する際に、可動アーム２１の内周面に取り付けられたゴム製の部材における電線の外周面と対向する面が電線の外周面に密着して、電線を確実に挟持できる。よって、測定精度の高い電力計を提供することができる。
【００７７】
又、第１乃至第３実施形態においては、電力計の内部に計測装置を配設する構成について説明したが、これに限定されるものではない。例えば、電力計で検出した電圧、電流に基づく信号を電力計の外部に出力するための端子を電力計に設けて、外部の測定器をその端子に接続することによって、電線の電流、電圧を測定する構成としてもよい。この場合、電力計の内部に計測装置を配設する必要がないので、コンパクトな電力計を提供することができる。更に、例えば、外部の測定器に対してその電力計を２個設けて、その２個の電力計で検出された電位の差を外部の測定器で測定する構成としてもよい。その場合、例えば、図１１に示される電線どうしが接続された部分の電位差や、３相負荷の線間電圧を精度良く測定することができる。よって、利用性の高い電力計を提供することができる。
【００７８】
尚、第１乃至第３実施形態、その他の実施形態は、本発明の理解を容易にするためのものであり、本発明を限定して解釈するためのものではない。本発明は、その趣旨を逸脱することなく、変更、改良され得るとともに、本発明にはその等価物も含まれる。
【符号の説明】
【００７９】
１、１ｂ、１ｃ、１ｄ                                            電線
５、５ｃ、５ｄ                                                  本体
１１、１１ａ、１１ｃ、１１ｄ                                    導電線
１１ｂ                                                          被覆
２１                                                            可動アーム
２２                                                            固定アーム
３１、３２、６１、６２                                          ダイス
３１ａ、３２ａ、６１ａ、６２ａ                                  凹凸面
３１ｂ、３２ｂ、６１ｂ、６２ｂ、３１１、３２１、６１１、６２１  溝
３１ｃ、３２ｃ、６１ｃ、６２ｃ                                  先端
５１                                                            開始釦
５２                                                            停止釦
５３                                                            可動スペース
５４                                                            レバー
５４ａ                                                          把手
５４ｂ                                                          レバー本体
５５、５５ｃ、５５ｄ                                            筐体
５６、５８、５９                                                計測装置
５７                                                            回動軸
１００、１００ｂ、１００ｃ、１００ｄ                            電力計
２１２、２２２                                                  コア
２１３                                                          検出コイル
２２１                                                          凸部
５６１                                                          入力部
５６２、５８２、５９２                                          記憶部
５６２ａ、５８２ａ、５９２ａ                                    第１の領域
５６２ｂ、５８２ｂ、５９２ｂ                                    第２の領域
５６２ｃ、５８２ｃ、５９２ｃ                                    第３の領域
５６３                                                          電圧測定部
５６４                                                          電流測定部
５６５                                                          演算部
５６６                                                          計時部
５６７、５８７、５９７                                          制御部
５８８、５９８                                                  送受信部
６１２、６２２                                                  突起
７００                                                          スリーブ
Ｌ１、Ｌ２、Ｌ３、Ｌ４                                          信号線
Ｔ１                                                            通信線
【図１】
2013024743.tif 000003
【図２】
2013024743.tif 000004
【図３】
2013024743.tif 000005
【図４】
2013024743.tif 000006
【図５】
2013024743.tif 000007
【図６】
2013024743.tif 000008
【図７】
2013024743.tif 000009
【図８】
2013024743.tif 000010
【図９】
2013024743.tif 000011
【図１０】
2013024743.tif 000012
【図１１】
2013024743.tif 000013
【図１２】
2013024743.tif 000014
【図１３】
2013024743.tif 000015